(57)【要約】  分解可能な輸送パレットは、平らなデッキ(12)を有し、デッキ(12)は、その底部に取外し可能に取付けられた多数のストリンガー(14)を有する。直線的に間隔をおいてデッキ(12)に配置されたショルダー付き孔(22)は、各ストリンガー(14)の上縁から延びるスロット付きピンに係合する。ストリンガー(14)に対して垂直に延びるスラット(16)も、スロット付きピンによってストリンガー(14)の底縁の凹部に取外し可能に受入れられる。ストリンガー(14)は、その端部分の三角形凹部に、ストラップを受入れ且つ保持する三角形ジョーを支持する。ストラップを引張るクランクが、ストリンガー(14)の側部の孔に挿入される。デッキ(12)は、キーを受入れるスロットを有し、キーは、デッキ(12)の面よりも上に延び且つ積重ね箱の第１層のスロットに係合する。
2007508216.tif 000002
【特許請求の範囲】
【請求項１】
分解可能な輸送パレットであって、
実質的に平らなデッキ（１２）と、
デッキの底部に取外し可能に取付けられた複数のストリンガー（１４）と、を有し、ストリンガーの少なくとも１つは、その少なくとも一方の端部に近接して配置された、パレットストラップを拘束するための一体の手段を有し、
更に、前記複数のストリンガーを前記デッキに取付けるための手段を有する、分解可能な輸送パレット。
【請求項２】
前記デッキは、それに配置された第２複数のショルダー付き孔（２２）を有し、このショルダー付き孔は、予め決められたストリンガー取付け箇所に直線的に且つ間隔をおいた関係をなして配列され、
複数のストリンガーを取付けるための前記手段は、各ストリンガーの上端から延びる第３複数の弾性的なスロット付きピン（２４）を有し、各スロット付きピンは、シャンク部（４０）と、ストリンガーの上端から離れた拡張ヘッド部（４４）とを有し、
複数のストリンガーを取付けるための前記手段は、更に、第２複数の実質的に円筒形のカラー（３６）を有し、各カラーは、それぞれのショルダー付き孔に挿入される本体部と、それぞれのショルダー付き孔のショルダー部に係合するように前記本体部から延びるフランジ部（３８）と、カラーを貫通するボアと、を有し、このボアは、それぞれのスロット付きピンのシャンク部を受入れるように寸法決めされた第１直径部分と、スロット付きピンの拡張ヘッド部を受入れる第２直径部分と、を有し、この第２の直径部分は、スロット付きピンを前記ボア内に収容するように前記拡張ヘッド部に係合する段付き部を有する、請求項１に記載の分解可能な輸送パレット。
【請求項３】
更に、第４複数のスラット（１６）を有し、各スラットは、ストリンガーに対して垂直に延び、各ストリンガーの底縁に取外し可能に取付けられ、
更に、スラットをストリンガーに取付けるための手段を有する、請求項１に記載の分解可能な輸送パレット。
【請求項４】
各スラットは、複数のショルダー付き孔（５４）を有し、
スラットをストリンガーに取付けるための前記手段は、第４複数の弾性的なスロット付きピン（５２）を有し、１つのスロット付きピンは、それぞれのスラットに係合するように各ストリンガーから垂下し、各スロット付きピンは、シャンク部と、ストリンガーから離れた拡張ヘッド部と、を有し、
スラットをストリンガーに取付けるための前記手段は、更に、複数の実質的に円筒形のカラー（６０）を有し、各カラーは、それぞれに対応するスラットのショルダー付き孔に挿入される本体部と、それぞれに対応するスラットのショルダー付き孔のショルダー部に係合するように前記本体部から延びるフランジ部（６２）と、カラーを貫通するボアと、を有し、このボアは、それぞれのスロット付きピンのシャンク部を受入れるように寸法決めされた第１直径部分と、スロット付きピンの拡張ヘッド部を受入れる第２直径部分とを有し、この第２の直径部分は、スロット付きピンを前記ボア内に収容するように前記拡張ヘッド部に係合する段付き部を有する、請求項３に記載の分解可能な輸送パレット。
【請求項５】
前記拘束するための手段は、実質的に三角形断面を有するジョー対（７８，８０）を有し、ジョーは、頂点と底辺との間で二分され、ジョー対は、少なくとも１つのストリンガーの端部分の三角形切欠き内に受入れられ、前記端部分は、更に、端部分の第１側壁を貫いて前記三角形切欠きの頂点まで延びるスロットを有し、このスロットの中をパレット用ストラップが通り、このパレット用ストラップは、更に、ジョーの二分された部分を通り、引張り状態において、ジョーを三角形切欠きに摩擦的に押し入れる、請求項１に記載の分解可能な輸送パレット。
【請求項６】
前記三角形切欠きは、頂点から遠位の拘束部（９０）に当接し、この拘束部は、前記三角形切欠きの頂点から遠ざかる前記ジョー対の移動を防止するために、前記ジョー対のベース部に係合する、請求項５に記載の分解可能な輸送パレット。
【請求項７】
前記ジョー対の第１の要素はヒンジタブ（９４）を有し、このヒンジタブは、前記ジョー対の分離を妨げるために、前記ジョー対の第２の要素のヒンジ切欠き（９６）内に受入れられる、請求項５に記載の分解可能な輸送パレット。
【請求項８】
前記少なくとも１つのストリンガーは、更に、第１の側壁と垂直な第２の側壁に孔（１００）を有し、この孔は、前記三角形切欠きの底辺に近接し、
更に、クランクを有し、このクランクは、前記孔を貫き且つそれに受入れられるスロット付きシャフトを有し、このスロット付きシャフトは、前記クランクが回転するとき、引張りのためのパレットストラップに係合する、請求項５に記載の分解可能な輸送パレット。
【請求項９】
各ストリンガーは、更に、その底縁にフォークリフト用切欠きを有する、請求項３に記載の分解可能な輸送パレット。
【請求項１０】
各スロット付きピンのスロットは、スロット付きピンのヘッド部から始まり、シャンク部を貫いてウエブまで延びる、請求項２に記載の分解可能な輸送パレット。
【請求項１１】
各スラットは、ストリンガーの底面の凹部内に受入れられ、前記スロット付きピンは、ストリンガーのそれぞれのスラット用凹部の頂面から垂下する、請求項４に記載の分解可能な輸送パレット。
【請求項１２】
前記デッキは、複数のキースロットを有し、キースロットは、デッキの上に支持すべき積重ね可能なコンテナの受入れスロットに合うように、間隔をおいた関係をなして位置決めされ、
更に、ブレードキー（１３４）を有し、ブレードキーは、積重ね可能なコンテナの受入れスロットの係合のために、前記キースロット内に受入れられる、請求項１に記載の分解可能な輸送パレット。
【請求項１３】
分解可能な輸送パレットの組立て且つ使用する方法であって、
複数のショルダー付き孔を有する実質的に平らなデッキを準備する工程を有し、前記ショルダー付き孔は、デッキ内に位置し、予め決められたストリンガー取付け箇所のところに直線的に且つ間隔をおいた関係をなして配列され、
更に、弾性的なスロット付きピンを有するストリンガーを、前記スロット付きピンを前記デッキのショルダー付き孔に挿入することによって組立てる工程を有し、スロット付きピンは、各ストリンガーの上縁からデッキの底部まで延び、各スロット付きピンは、シャンク部と、ストリンガーの上縁から遠位の拡張ヘッド部と、を有し、
更に、円筒形カラーを使用して、ストリンガーをデッキに固定する工程を有し、円筒形カラーは、それぞれのショルダー付き孔に挿入される本体部と、本体部から延び且つそれぞれのショルダー付き孔のショルダー部に係合するフランジ部と、前記カラーを貫通するボアと、を有し、このボアは、それぞれのスロット付きピンのシャンク部を受入れるように寸法決めされた第１直径部分と、段付き部を形成する第２直径部分とを有し、この第２直径部分は、前記段付き部が前記拡張ヘッド部に係合した状態でスロット付きピンの拡張ヘッド部を受入れ、スロット付きピンを前記ボア内に拘束し、弾性的な前記スロット付きピンの拡張ヘッド部は、前記カラーのボア内に受入れられるように変形し、且つ、ショルダー部に係合するように拡張する、方法。
【請求項１４】
更に、スラットをストリンガーに組立てる工程を有し、この工程では、各スラットは、ストリンガーに対して垂直に延び、各ストリンガーの底縁の凹部内に取外し可能に受入れられ、各スラットは、更に、弾性的なスロット付きピンを受入れる複数のショルダー付き孔を有し、各ストリンガーのスラット用凹部の頂面ごとに、１つのピンが前記頂面から垂下し、各ピンは、シャンク部と、スラット用凹部の頂面から遠位に位置する拡張ヘッド部と、を有し、
更に、円筒形カラーを使用して、スラットをストリンガーに固定する工程を有し、円筒形カラーは、それぞれのショルダー付き孔に挿入される本体部と、本体部から延び且つそれぞれのショルダー付き孔のショルダー部に係合するフランジ部と、カラーを貫通するボアを有し、このボアは、それぞれのスロット付きピンのシャンク部を受入れるように寸法決めされた第１直径部分と、段付き部を形成する第２直径部分とを有し、この第２直径部分は、前記段付き部が前記拡張ヘッド部に係合した状態でスロット付きピンの拡張ヘッド部を受入れ、スロット付きピンをボア内に拘束し、弾性的な前記スロット付きピンの拡張ヘッド部は、前記カラーのボア内に受入れられるように変形し、且つ、ショルダー部に係合するために拡張する、請求項１３に記載の方法。
【請求項１５】
更に、実質的に三角形の断面を有するジョー対を、少なくとも１つのストリンガーの端部分に設けられた三角形切欠きに挿入する工程を有し、前記ジョーは、頂点と底辺との間で二分され、前記端部分は、更に、その第１の側壁を貫いて前記三角形切欠きの頂点まで延びるスロットを有し、このスロットの中をパレットストラップが貫通する、請求項１３に記載の方法。
【請求項１６】
更に、輸送すべき材料をデッキの上に載せる工程と、
前記パレットストラップを輸送すべき材料の上に巻き付ける工程と、
スロット付きシャフトを有するクランクを、前記第１の側壁に対して垂直な第２の側壁の孔を貫くように挿入する工程と、を有し、この孔は、パレットストラップの係合のために、前記少なくとも１つのストリンガーの三角形切欠きの底辺に近接し、
更に、パレットストラップを、ストリンガーの第１の側壁のスロットと前記ジョーの二分された部分に通して、前記クランクのスロットに挿入する工程と、
クランクを回転させることによって、ストラップを引張る工程と、を有し、前記クランクに作用する引張りの解放時、引張り状態のストラップは、前記ジョーを三角形切欠きの中に押し、ストラップをロックする、請求項１４に記載の方法。
【請求項１７】
前記デッキは、複数のキースロットを有し、
更に、ブレードキーを前記キースロットに挿入する工程と、
底面に受入れスロットを有する自己積重ねコンテナを、前記ブレードキーが前記受入れスロットに係合するようにデッキの上に載せる工程と、を有する、請求項１３に記載の方法。
【発明の詳細な説明】
【技術分野】
【０００１】
本発明は、概略的には、品物運搬パレットの分野に関し、更に詳細には、現場用組立体のための成形構成要素を有する分解可能なパレットに関する。
【背景技術】
【０００２】
ほとんどの現在の輸送パレットは、木製構造のものであり、ねじ又は爪を用いて木製のストリンガーに取付けられた厚板(plank)又は薄板(slat)を有している。典型的には、パレットの製造は、輸送現場で行われ、もしパレットを再使用するならば、空状態のパレットは、それを戻すために積重ねると著しい容積を占める。木製パレットは、重いので、パレットの上に積まれた品物の輸送重量を著しく増大させ、空状態で戻るためには、重い負荷になる。耐久性を向上させるために、金属及びプラスチック等の代替材料がパレット構造に採用されているけれども、空状態の輸送容積は、依然として、パレットの再使用の際の重要な問題である。
【発明の開示】
【発明が解決しようとする課題】
【０００３】
現存するパレットの上に載せられた品物の積重ね及び保持は、典型的には、品物の箱をパレットの上に積重ねて、その箱を金属又はプラスチックのストラップ材で固着することによって達成される。炉板又は木でできた箱は、互いに対して滑り、それらを載せたパレットをひっくり返すことがある。この問題を部分的に回避するために、例えば「パネルロック付きのコンテナ」と題する米国特許第５，４９７，９３９号に開示されている相互ロック式の箱システムが開発された。しかしながら、かかるコンテナ又は箱を一体に固着させるためのパレットシステムは、利用されていない。
【０００４】
従って、容積的に効率的な空状態の輸送を促進させるために、パレットが、分解された状態から容易に組立てられることが望ましい。更に、パレットが、分解された状態及び積み荷状態の両方の輸送重量の軽減のために、軽量材料で構成されることが望ましい。
【０００５】
加えて、パレットが、相互ロック式の箱システムに順応して一体に固定可能である特徴を有することが望ましい。
【課題を解決するための手段】
【０００６】
本発明の分解可能な輸送パレットは、実質的に平らなデッキを有し、このデッキは、デッキの底部に取外し可能に取付けられた多数のストリンガーを有する。デッキは、所定のストリンガー取付け箇所に直線的に間隔をおいた関係をなして配置された、ショルダー部付きの孔を有する。弾性的なスロット付きピンが、各ストリンガーの上縁から延び、各スロット付きピンは、シャンク部と、ストリンガーの上縁と反体側に位置する拡張ヘッド部とを有する。円筒形のカラーが、それぞれのショルダー部付きの孔に挿入され、カラーの本体部から延びるフランジ部が、ショルダー部付きの孔のショルダー部に係合する。各カラーは、ボアを有し、このボアは、スロット付きピンのシャンク部を受入れるように寸法決めされた第１直径部分と、ヘッド部に係合する段付き部を形成する第２直径部分とを有し、スロット付きピンをボア内に収容させて、ストリンガーをデッキに固着させる。
【０００７】
多数スラットもまた、弾性的なスロット付きピンを使用することによってストリンガーに取付けられ、各スラットは、ストリンガーに対して垂直に延び且つ各ストリンガーの底縁の凹部内に取外し可能に受入れられ、スロット付きピンは、各ストリンガーにおけるそれぞれのスラット用凹部の頂面から垂下する。各スロット付きピンは、シャンク部と、凹部の頂面と反対側に位置する拡張ヘッド部とを有する。上述したように、フランジ付き円筒形カラーを、スラット内のそれぞれのショルダー付き孔に挿入し、スロット付きピンをボア内に収容させて、スラットをストリンガーに固着させる。
【０００８】
ストリンガーは、その端部分に設けられた三角形凹部内に挿入された三角形ジョーと、パレットストラップを受入れ且つ保持するためのスロットとを有する。ストリンガーの側部の孔により、パレットストラップを引張るためのスロット付きクランクの挿入を可能にする。デッキは、その周囲に、キーを受入れるスロットを有し、このキーは、デッキの表面よりも上に延び、積重ね可能な箱の第１層の受入れスロットに係合する。
【発明を実施するための最良の形態】
【０００９】
図面を参照すれば、図１は、本発明の実施形態であるパレット１０を示す。デッキ１２が、パレットのための積荷支持面を構成する。多数のストリンガー１４が、デッキの底面に取外し可能に取付けられている。薄板、即ち、スラット（slat）１６が、図２に最もよく示すように、ストリンガーの底部に取外し可能に取付けられている。スラット１６は、ストリンガー１４の底部の凹部１８内に支持されている。組立てられ且つ積荷を載せたパレットの持上げ及び移動のために、フォークリフトの先を収容するための切欠き２０が各ストリンガー１４に設けられている。
【００１０】
図１に示すように、デッキ１２は、各ストリンガー１４のための多数の取付け孔２２を有している。図３に示すように、各ストリンガー１４は、上面２６から延びる多数の弾性的な取付けピン２４を有している。１つの実施形態についての取付け孔２２及び取付けピン２４の詳細を図４ａに示す。各取付け孔２２は、デッキ１２の面３０から引込んだショルダー部２８と、デッキ１２の底面３４までデッキ１２を貫いて延びるカラー用ボア３２とを有している。ストリンガー１４の上に設けられた取付けピン２４が取付け孔２２の中に受入れられ、カラー３６がデッキ１２の上方から取付け孔２２に挿入され、フランジ部３８が取付け孔２２のショルダー部２８に係合する。各取付けピン２４に設けられたシャンク部４０が、ピン用ボア４２内に収容され、ヘッド部４４が、カラー３６に設けられたピン用ボア４２の段付き部４６に係合する。各取付けピン２４は、スロット４８を有し、スロット４８は、取付けピン２４を組立てるときにそれをピン用ボア４２に挿入する間、ヘッド部４４を圧縮させるための弾性を付与する。取付けピン２４の基部のウエブ部５０が、ピン本体の側部と相互作用する。例示のカラー３６及び取付けピン２４を、分解図として図５に詳細に示す。
【００１１】
図４ｂに示す簡単な実施形態では、カラーが採用されず、デッキ１２の取付け孔が取付けピン２４を直接収容しており、取付けピンのヘッド部がデッキ面よりも上に露出することを回避するために、取付けピンのヘッド部が、適当に寸法決めされたショルダー深さのところで取付け孔のショルダー部に係合する。
【００１２】
図３に戻ると、スラット１６は、デッキ１２へのストリンガー１４の取付けと同じ仕方で、ストリンガー１４に取付けられている。ストリンガー１４から垂下する取付けピン５２が、各スラットの取付け孔５４に受入れられる。図示の実施形態について、取付け孔５４は、カラー用ボア５６とショルダー部５８とを有している。フランジ部６２を有するカラー６０が、取付け孔５４に受入れられ、フランジ部６２がショルダー部５８に係合する。各カラー６０は、取付けピン５２のシャンク部６６を受入れるピン用ボア６４と、ピンヘッド部７０に係合する段付き部６８とを有している。図示の実施形態において、取付けピン２４がストリンガー１４をデッキ１２に固着させることと同様、スラット１６を固着させるための取付けピン５２は、スロット７２を有し、このスロット７２は、取付けピン５２をカラー６０に挿入している間、ピンヘッド部７０を弾性変形させる。
【００１３】
図４ｂに示す簡単化された実施形態では、デッキの取付け孔及び取付けピンの構成と同様、スラット１６を取付けるためのカラーは採用されず、スラット１６の取付け孔は、取付けピン２４を直接収容し、取付けピン２４のヘッド部がスラット面よりも下に露出すること回避するために、取付けピンのヘッド部が、適当に寸法決めされたショルダー深さのところで、ショルダー部付き孔のショルダー部に係合する。
【００１４】
パレット１０のための平らな底面を得るために、図示の実施形態のストリンガー１４は、各スラット１６が挿入される凹部７６を有している。ストリンガー１４から垂下するピン５２は、スラット１６に係合するように、凹部７６内で実質的に心出しされ、その結果、ストリンガー１４及びスラット１６によって平らなスキッド(skid)表面が形成される。フォークリフトによるパレットの持上げに順応させるために、上述したフォークリフトの先用の切欠き２０が、スラット用凹部７６の間の２箇所において、ストリンガー１４に設けられている。
【００１５】
一体的なストラップによる引張り及び固着が、図６、図７ａ及び図７ｂに示す本発明を含むパレットにおいて達成される。ストリンガー１４は、一対の三角形ジョー７８、８０を有し、これらの三角形ジョー７８，８０は、ストリンガー１４の端ブロック８４内の三角形切欠き８２内に支持されている。切欠き８２は、スロット８８を介して端ブロック８４の端面８６に通じている。スロット８８の中を通るように挿入されたストラップが、２つのジョー７８、８０の間を横断し、２つのジョー７８、８０に摩擦的に係合している。ストラップの引出し方向の引張りにより、ジョー７８、８０を三角形切欠き８２の頂点に向かって移動させ、それにより、ジョー７８、８０が互いに押しつけられ、ストラップの引出しを妨げるストラップのより大きい摩擦係合を得る。
【００１６】
ジョー７８、８０は、切欠き８２の表面に設けられた隆起部９０によって切欠き８８内に閉じ込められ、隆起部９０は、下側のジョー７８のベース部９２の一方の縁に係合する。ジョー７８、８０を結合させるために、下側ジョー７８の上に配置されたタブ９４が、上側のジョー８０に配置された切欠き９６内に受入れられ、一方のジョー７８、８０の分離又は個々の移動を防止する。
【００１７】
ストラップによる引張りは、クランク９８によって達成され、クランク９８は、ストリンガー１４の側壁１０２の孔１００を貫くように挿入されている。ストラップ１０４が、クランク９８のスロット１０６内でクランク９８に係合している。クランク９８との摩擦係合のため、クランク９８の回転により、ストラップ１４をクランク９８自体の上に巻く。いったんストラップ１０４を完全に引張った後、クランク９８に働く戻り力により、ジョー７８，８０をストラップ１０４に完全に係合させて、クランク９８に働くストラップ摩擦力を減少させ、それにより、クランク９８を取り外すことを可能にする。
【００１８】
輸送の完了時にストラップ１０４を取り外すために、いくつかの方法が採用される。もしストラップ１０４が使い捨て可能であれば、ストラップ１０４をスロット８８の外側で単に切断し、ストラップ１０４の端部を内方に引くことによって、ストラップ１０４をジョー７８、８０から取出し、ジョー７８、８０を解放し、その取出しを可能にする。もしストラップ１０４が再使用可能であれば、クランク９８を孔１００に再び挿入し、ストラップ１０４に係合させて、それを引張ることにより、ジョー７８、８０の分離を可能にし、ジョー７８、８０を三角形切欠き８２から横方向に移動させ、それにより、ジョー７８、８０を取り外す。次いで、クランク９８に働く引張り力を解放し、ストラップ１０４をスロット８８から引出す。最後に、ある実施形態では、三角形切欠きに隣接した追加の孔がストリンガーに設けられ、ストラップスロットが、ストリンガーの端ブロックの側面を貫いて延びる。平らな面を有するピンを追加の孔の中に通して押し、それにより、ジョー及びストラップを横方向に押し、それらを切欠き及びスロットから横方向に移動させる。次いで、ジョー７８、８０をストラップから取外し、ジョー７８、８０を切欠き内に再び配置する。
【００１９】
ストリンガーの上のピンの破壊に順応するために、本発明の変形実施形態は、取外し可能なピン２４、５２を採用する。図４ａに示す１つの実施形態では、ピン２４、５２は、シャンク部４０、６６に対してヘッド部４４，６８と反対側にねじ山部分１１２を有する。ねじ山部分１１２は、ストリンガー１４のねじ山付きボア１１４に受入れられる。ストリンガー１４へのピン２４，５２の挿入及びストリンガー１４からのピン２４，５２の取外しのために、ピン２４、５２のスロット４８、７２は、平らなブレード工具を使用することを可能にする。
【００２０】
本発明によるパレットは、特に、本発明の譲受人が所有する「パネルロックを有するコンテナ」と題する米国特許第５，４９７，９３９号に開示されているような、自己積み重ねコンテナに有用であり、その記載については完全に述べたけれども、その記載を本明細書に援用する。図８に示すように、端プレート１２２、１２４及び端プレート１２２、１２４によって制限される折畳みパネル１２６を有するコンテナ１２０は、各端プレート１２２、１２４の上面から延びる積重ねタブ１２８を採用している。図９に示すように、積重ねタブ１２８は、第１のコンテナの一番上に積重ねられた第２のコンテナの端プレートの受入れスロット１３０内に係合する。
【００２１】
図１０ａ及び図１０ｂに詳細に示すように、デッキ１２は、ブレードキー１３４を収容するように間隔を置いた関係をなして位置決めされたキースロット１３２を有し、ブレードキー１３４は、積重ねられたコンテナ１２０がデッキ１２の上に載せられたときに、積重ねられたコンテナの一番下の層の受入れスロット１３０内に受入れられ、それにより、パレットデッキ１２上でのコンテナ１２０のスリップ及び移動を阻止する。図面の実施形態について、ブレードキー１３４は、２つの形態を有する。第１の形態は、パレットの縁に隣接したキースロット１３２のために採用され、この場合、ブレードキー１３４は、水平方向ウエブ１３６を介して係合タブ１３８に取付けられ、係合タブ１３８は、箱の受入れスロット１３０内に受入れられる。これにより、パレット１０の縁のところでの箱の積重ねを可能にし、キースロット１３２は、パレットデッキ１２の周囲から遠ざけられる。箱は、ウエブを拘束し、それにより、ブレードキー１３４がキースロット１３２内に係合したままであることを確保する。ブレードキー１３４の第２の形態は、パレット１０の内部のキースロット１３２に使用され、ブレードキー１３４の上に取付けられた細長いタブ１４０を採用し、細長いタブ１４０は、２つの隣接した箱の受入れスロット１３０に係合する。パレット１０及びコンテナ１２０は、次いで、積荷の移動又はスリップを排除する剛性構造体を構成するように一体に相互連結を有する完全な輸送システムを構成する。
【００２２】
ブレードキー１３４は、所望ならば平らな表面を有するパレット１０の使用を可能にするために、また、組立てられた又は分解されたパレット１０を積重ねる際の容積の減少のために、取外し可能である。変形例として、パレットの輸送のために、第２のパレットデッキが積重ねのために逆向きにされた状態では、内部キーが第１のパレットデッキの内部キースロット内の適所にあり、２つのデッキに係合するように、キーをそれぞれのスロット内に受入れる。
【００２３】
特許法が要求するように、本発明を詳細に説明したので、当業者は、ここに説明した特定の実施形態に対する変形例及び置換例を認識するであろう。係る変形例は、特許請求の範囲に規定された本発明の範囲内及び意図の中にある。
【図面の簡単な説明】
【００２４】
【図１】本発明を具体化するパレットのデッキ及びストリンガーの斜視図である。
【図２】図１のパレットの底面から見た斜視図である。
【図３】図１のパレットの１つのストリンガーの斜視図である。
【図４ａ】ストリンガー及びスラットの取付けピン及び取付け孔を詳細に示すデッキの部分断面図である。
【図４ｂ】ストリンガー及びスラットの取付けが簡単な実施形態を詳細に示すデッキの部分断面図である。
【図５】ストリンガーをデッキに固着させ且つスラットをストリンガーに固着させるために採用されるピン及びカラーの分解斜視図である。
【図６】図３のストリンガーの２つの端部の詳細図である。
【図７ａ】ストラップの引張りのためにクランクが係合した、図４に示すストリンガーの平面図である。
【図７ｂ】ストラップの引張りのためにクランクが係合した、図４に示すストリンガーの側面図である。
【図８】本発明のパレットシステムと一緒に使用するための自己係合ボックスの斜視図である。
【図９】図８のボックスが搭載された、本発明を組み込む組立て済みパレットの部分的な斜視図である。
【図１０ａ】２つの積重ねボックスを有するパレットの正面図である。
【図１０ｂ】デッキ内のボックス係合スロットを、それと関連したキーと共に示す、図１０ａの線１０ｂ−１０ｂにおける詳細断面図である。
【図１】
2007508216.tif 000003
【図２】
2007508216.tif 000004
【図３】
2007508216.tif 000005
【図４ａ】
2007508216.tif 000006
【図４ｂ】
2007508216.tif 000007
【図５】
2007508216.tif 000008
【図６】
2007508216.tif 000009
【図７ａ】
2007508216.tif 000010
【図７ｂ】
2007508216.tif 000011
【図８】
2007508216.tif 000012
【図９】
2007508216.tif 000013
【図１０ａ】
2007508216.tif 000014
【図１０ｂ】
2007508216.tif 000015
【国際調査報告】
2007508216.tif 000016